(57)【特許請求の範囲】
【請求項１】
端末に絶縁線心を露出させてなる複数のケーブルと、
前記絶縁線心を収納する電線位置決め溝を複数有する第一ジョイントボックス構成部材と、
前記電線位置決め溝に交差する方向にのびる電線収納溝を複数有する第二ジョイントボックス構成部材と、
対応する前記電線収納溝に収納される一又は複数の回路構成用電線と、
前記第一ジョイントボックス構成部材及び前記第二ジョイントボックス構成部材を重ね合わせた状態で前記電線位置決め溝及び前記電線収納溝の交差位置に差し込まれ、結線要となる前記絶縁線心及び前記回路構成用電線の交差部分のみを圧接して電気的な接続を行う複数の圧接刃と、
前記第一ジョイントボックス構成部材及び／又は前記第二ジョイントボックス構成部材に取り付いて少なくとも前記圧接刃の差し込み部分を覆うカバーと、
を備える
ことを特徴とする屋内配線用ユニットケーブル。
【請求項２】
請求項１に記載の屋内配線用ユニットケーブルにおいて、
前記カバーに、前記圧接刃を差し込み固定するための圧接刃固定溝を形成する
ことを特徴とする屋内配線用ユニットケーブル。
【請求項３】
請求項１又は請求項２に記載の屋内配線用ユニットケーブルにおいて、
前記第一ジョイントボックス構成部材及び前記第二ジョイントボックス構成部材を重ね合わせた状態で前記電線収納溝に向けて差し込まれることにより前記回路構成用電線を圧接するジョイント用圧接刃を一又は複数備えるとともに、前記カバーには、前記ジョイント用圧接刃を貫通させるためのジョイント用圧接刃挿入穴を形成する
ことを特徴とする屋内配線用ユニットケーブル。
【発明の詳細な説明】
【技術分野】
【０００１】
本発明は、屋内配線に用いられるユニットケーブルに関する。
【背景技術】
【０００２】
近年、玄関や居間や寝室などの各部屋別にユニット化した部屋ユニットを住宅メーカーの工場で製造し、これらを施工現場で施主の希望や敷地形状に応じて組み付けることにより、一つの部屋が出来上がるようなプレハブ住宅工法が知られている。プレハブ住宅工法においては、各部屋ユニット別の配線も予め工場内で行われるようになっており、この配線によって屋内配線作業の簡素化を達成することができるようになっている。屋内配線作業の簡素化を達成するためには、ジョイントボックスを備えた屋内配線用ユニットケーブルを用いることが有効である。
【０００３】
従来の屋内配線用ユニットケーブルとしては、図８に示す如く、この内部に絶縁性の熱硬化製樹脂（エポキシ樹脂等）４を充填・モールドして、分岐接続した結線部を固定及び保護するような構造を採用しているものがある（例えば下記特許文献１参照）。従来の屋内配線用ユニットケーブルは、用途に応じて二芯ケーブル、三芯ケーブル等のものが使用されている。ケーブル２を構成する絶縁線心１の結線部は、圧着スリーブ３を用いて結線がなされている。
【特許文献１】登録実用新案第３００５９１２号公報  （第２頁、第１図）
【発明の開示】
【発明が解決しようとする課題】
【０００４】
図８に示す従来の屋内配線用ユニットケーブルにあっては、圧着スリーブ３を使用し、また、結線工具を用いて手作業で回路結線を行うことから、作業時間がかかったり結線ミスが発生したりするという問題点を有している。また、結線部を熱硬化製樹脂４で充填・モールドすることから、樹脂注入装置やモールド用の熱硬化製樹脂材料が必要であるとともに、十分な硬化時間を確保する必要もあり、安価で短いリードタイムでの製造が困難であるという問題点を有している。さらに、結線部全体が熱硬化製樹脂４によって固定されることから、重く取り扱い性が悪くなるのは勿論のこと、分解することができないために、誤結線の修正や廃棄時のリサイクルが非常に困難であるという問題点を有している。
【０００５】
この他、従来の屋内配線用ユニットケーブルにあっては、結線部を熱硬化製樹脂４で充填・モールドする構造であることから、回路の増設を図ることができないという問題点を有している。
【０００６】
本発明は、上述した事情に鑑みてなされたもので、容易に結線作業を行うことが可能であり、また、生産性、取り扱い性、結線の修復性、及びリサイクル性の向上を図ることが可能であり、さらには、回路増設を図ることが可能な屋内配線用ユニットケーブルを提供することを課題とする。
【課題を解決するための手段】
【０００７】
上記課題を解決するためになされた請求項１記載の本発明の屋内配線用ユニットケーブルは、端末に絶縁線心を露出させてなる複数のケーブルと、前記絶縁線心を収納する電線位置決め溝を複数有する第一ジョイントボックス構成部材と、前記電線位置決め溝に交差する方向にのびる電線収納溝を複数有する第二ジョイントボックス構成部材と、対応する前記電線収納溝に収納される一又は複数の回路構成用電線と、前記第一ジョイントボックス構成部材及び前記第二ジョイントボックス構成部材を重ね合わせた状態で前記電線位置決め溝及び前記電線収納溝の交差位置に差し込まれ、結線要となる前記絶縁線心及び前記回路構成用電線の交差部分のみを圧接して電気的な接続を行う複数の圧接刃と、前記第一ジョイントボックス構成部材及び／又は前記第二ジョイントボックス構成部材に取り付いて少なくとも前記圧接刃の差し込み部分を覆うカバーと、を備えることを特徴としている。
【０００８】
このような特徴を有する本発明によれば、第一ジョイントボックス構成部材の電線位置決め溝にケーブルの絶縁線心を収納し、また、第二ジョイントボックス構成部材の電線収納溝に回路構成用電線を収納し、そして、これら第一ジョイントボックス構成部材及び第二ジョイントボックス構成部材を重ね合わせると、絶縁線心及び回路構成用電線が交差するようになる。この後、結線する必要のある交差部分に圧接刃を差し込み電気的な接続を行うとともにカバーの取り付けを行うと、或いは、カバーの取り付けを行いながら圧接刃の差し込みを同時に行うと、全体の組み付けが完了する。
【０００９】
一方、本発明の屋内配線用ユニットケーブルは、カバーを取り外すとともに圧接刃を抜き取り、そして、重なり合った第一ジョイントボックス構成部材及び第二ジョイントボックス構成部材を分離し、さらに、電線位置決め溝から絶縁線心を抜き取るとともに電線収納溝から回路構成用電線を抜き取ると、部品単体レベルまでの分解がなされる。本発明は、最低６つの種類の部品で屋内配線用ユニットケーブルを構成することが可能である。
【００１０】
請求項２記載の本発明の屋内配線用ユニットケーブルは、請求項１に記載の屋内配線用ユニットケーブルにおいて、前記カバーに、前記圧接刃を差し込み固定するための圧接刃固定溝を形成することを特徴としている。
【００１１】
このような特徴を有する本発明によれば、予め結線位置に合わせて圧接刃をカバーに固定することで、一括して圧接刃による電気的な接続を行うことが可能になる。すなわち、カバーを第一ジョイントボックス構成部材及び／又は第二ジョイントボックス構成部材に取り付ければ、これと同時に圧接刃の差し込みと電気的な接続とが一括して完了するようになる。
【００１２】
請求項３記載の本発明の屋内配線用ユニットケーブルは、請求項１又は請求項２に記載の屋内配線用ユニットケーブルにおいて、前記第一ジョイントボックス構成部材及び前記第二ジョイントボックス構成部材を重ね合わせた状態で前記電線収納溝に向けて差し込まれることにより前記回路構成用電線を圧接するジョイント用圧接刃を一又は複数備えるとともに、前記カバーには、前記ジョイント用圧接刃を貫通させるためのジョイント用圧接刃挿入穴を形成することを特徴としている。
【００１３】
このような特徴を有する本発明によれば、カバーを貫通するジョイント用圧接刃を介して屋内配線用ユニットケーブルを電気的な接続をした状態に積層することが可能になる。すなわち、回路増設を図ることが可能になる。
【発明の効果】
【００１４】
請求項１に記載された本発明によれば、容易に結線作業を行うことができるという効果を奏する。また、生産性、取り扱い性、結線の修復性、及びリサイクル性を従来よりも格段に向上させることができるという効果を奏する。
【００１５】
請求項２に記載された本発明によれば、生産性を更に向上させることができるという効果を奏する。
【００１６】
請求項３に記載された本発明によれば、上記効果の他に、回路増設を図ることもできるという効果を奏する。
【発明を実施するための最良の形態】
【００１７】
以下、図面を参照しながら説明する。図１は本発明の屋内配線用ユニットケーブルの一実施の形態を示す分解斜視図である。また、図２は屋内配線用ユニットケーブルの斜視図、図３はケーブルと第一ジョイントボックス構成部材の斜視図、図４は回路構成用電線と第二ジョイントボックス構成部材の斜視図、図５は圧接刃とカバーの斜視図、図６（ａ）は回路例を示す図、図６（ｂ）は（ａ）の回路に合わせて圧接刃を配置した圧接刃配置例を示す図である。
【００１８】
図１において、引用符号１１は本発明の屋内配線用ユニットケーブルを示している。この屋内配線用ユニットケーブル１１は、複数のケーブル１２と、第一ジョイントボックス構成部材１３と、第二ジョイントボックス構成部材１４と、一又は複数の回路構成用電線１５と、複数の圧接刃１６と、カバー１７とを備えて構成されている。
【００１９】
屋内配線用ユニットケーブル１１は、第一ジョイントボックス構成部材１３及び第二ジョイントボックス構成部材１４を重ね合わせることによりジョイントボックスを構成することができるような構造になっている。また、屋内配線用ユニットケーブル１１は、本形態において、手作業することなく上記ジョイントボックスの内部で結線を行うことができるような構造になっている。さらに、屋内配線用ユニットケーブル１１は、上記ジョイントボックスの外側からカバー１７を取り付けて少なくとも結線に係る部分を覆い保護することができるような構造になっている。以下、図１ないし図５を参照しながら上記の各構成部材について説明する。
【００２０】
図１及び図３において、ケーブル１２は、特に限定するものでないが、公知のＶＶＦケーブルであって、３本の絶縁線心１８と、これらを被覆するシース１９とを有している（上記ＶＶＦケーブルは一例であり他のケーブルであっても良いものとする）。ケーブル１２の端末は、所定の長さでシース１９が皮剥されており、３本の絶縁線心１８が一列に並んで露出した状態になっている。尚、露出した絶縁線心１８の端末は、絶縁体が皮剥されてないものとする。
【００２１】
本形態においては、４本のケーブル１２が使用されている（この本数に限定されないものとする）。本形態の屋内配線用ユニットケーブル１１は、図２に示す如く、最大４本分のケーブル１２に対応することが可能な構造になっている（一例であるものとする）。
【００２２】
図１及び図３において、第一ジョイントボックス構成部材１３は、絶縁性を有する合成樹脂材料の射出成形によりなる平面視長方形状の部材であって、第二ジョイントボックス構成部材１４とカバー１７とにより挟み込まれるような略厚板形状に形成されている。第一ジョイントボックス構成部材１３は、剛性を有するように形成されている。このような第一ジョイントボックス構成部材１３には、電線位置決め溝２０と圧接刃挿入穴２１とがそれぞれ複数形成されている。
【００２３】
ここで、図１中の矢印Ｐを上下方向、矢印Ｑを左右方向、矢印Ｒを前後方向と定義するものとする（一般的な使用形態において、ケーブル１２を引き出しする方向が下方向になることが多い）。
【００２４】
電線位置決め溝２０は、絶縁線心１８を収納するための部分として溝状に形成されている。電線位置決め溝２０は、第二ジョイントボックス構成部材１４に対向する後面２２に形成されている。電線位置決め溝２０は、上下方向に真っ直ぐにのびるように形成されている。電線位置決め溝２０は、絶縁線心１８の数に合わせて形成されている（本形態では、例えば二芯のケーブルを組み合わせた場合にも配慮している。すなわち、電線位置決め溝２０が１３本形成されている）。
【００２５】
圧接刃挿入穴２１は、圧接刃１６を差し込む部分として形成されている。圧接刃挿入穴２１は、上記後面２２と、この後面２２の反対側でカバー１７に対向する前面２３とを貫通するように形成されている。圧接刃挿入穴２１は、絶縁線心１８を収納する電線位置決め溝２０と、回路構成用電線１５を収納する第二ジョイントボックス構成部材１４の４本の後述する電線収納溝２７との交差位置に合わせて形成されている。
【００２６】
本形態においては、絶縁線心１８と回路構成用電線１５とが略直角に交差するようになっており、交差位置で絶縁線心１８と回路構成用電線１５とに対して（電線位置決め溝２０と後述する電線収納溝２７とに対して）略４５度の角度で傾くように形成されている（上記の角度は一例であるものとする）。圧接刃挿入穴２１は、本形態において、５２個形成されている（電線位置決め溝２０が１３本、電線収納溝２７が４本であることから、これらの交差する位置の数は５２個となる）。
【００２７】
図１及び図４において、第二ジョイントボックス構成部材１４は、絶縁性を有する合成樹脂材料の射出成形によりなる平面視矩形状の部材であって、第一ジョイントボックス構成部材１３を重ね合わせる部分としてのボックス重ね合わせ部２４と、ケーブル１２を引き出すとともに押さえ付ける部分としてのケーブル押さえ部２５とを有している。第二ジョイントボックス構成部材１４は、ボックス重ね合わせ部２４が上側、ケーブル押さえ部２５が下側に位置するように形成されている。第二ジョイントボックス構成部材１４は、第一ジョイントボックス構成部材１３と同様に剛性を有するように形成されている。
【００２８】
ボックス重ね合わせ部２４の前面２６には、４本の電線収納溝２７と、５２個の圧接刃挿入穴２８とが形成されている。電線収納溝２７は、回路構成用電線１５を収納するための部分として４本形成されている。電線収納溝２７は、所定の間隔でそれぞれ左右方向に真っ直ぐにのびるように形成されている。
【００２９】
圧接刃挿入穴２８は、圧接刃１６を差し込む部分として形成されている。圧接刃挿入穴２８は、第一ジョイントボックス構成部材１３の圧接刃挿入穴２１の位置及び大きさに一致するように配置形成されている。圧接刃挿入穴２８は、５２個のうち４個がボックス重ね合わせ部２４の前面２６と後面２９とを貫通するように形成されている（この限りでないものとする。屋内配線用ユニットケーブル１１を電気的に接続した状態に積層する場合に有用となる）。
【００３０】
ケーブル押さえ部２５には、変形可能な押さえ付け部材３０が取り付けられている。この押さえ付け部材３０は、ケーブル１２のシース１９の部分を押さえ付けるために取り付けられている。
【００３１】
図１及び図４において、回路構成用電線１５は、上記の如く、第二ジョイントボックス構成部材１４の電線収納溝２７に収納される部材であって、導体と、この導体を被覆する絶縁体とを備えて構成されている。
【００３２】
図１において、圧接刃１６は、導電性を有する金属板を加工してなる部材であって、取り付け固定部分３１と、圧接部分３２とを有している。圧接刃１６は、第一ジョイントボックス構成部材１３及び第二ジョイントボックス構成部材１４の対応する圧接刃挿入穴２１、２８に差し込まれて、結線要となる絶縁線心１８及び回路構成用電線１５の交差部分のみを圧接し、これにより電気的な接続を行うことができるように形成されている。圧接刃１６は、取り付け固定部分３１を介してカバー１７に固定されるようになっている。
【００３３】
図１及び図５において、カバー１７は、絶縁性を有する合成樹脂材料の射出成形によりなる平面視矩形状の部材であって、重ね合わせた状態の第一ジョイントボックス構成部材１３及び第二ジョイントボックス構成部材１４に取り付くように、言い換えると、上記ジョイントボックスに例えば嵌合等で取り付くように形成されている。カバー１７は、第一ジョイントボックス構成部材１３の前面２３に対向するボックス対向部３３と、ケーブル１２を引き出すとともに押さえ付ける部分としてのケーブル押さえ部３４とを有している。カバー１７は、ボックス対向部３３が上側、ケーブル押さえ部３４が下側に位置するように形成されている。
【００３４】
ボックス対向部３３の後面３５には、４８個の圧接刃固定溝３６が形成されている。また、ボックス対向部３３には、これを貫通するようなジョイント用圧接刃挿入穴３７が４個形成されている。圧接刃固定溝３６は、圧接刃１６を固定する部分として形成されている。圧接刃固定溝３６は、第一ジョイントボックス構成部材１３及び第二ジョイントボックス構成部材１４の圧接刃挿入穴２１、２８の位置及び大きさに一致するように配置形成されている。圧接刃１６は、カバー１７に固定されると、このカバー１７の取り付け作業と同時に一括して圧接を行うことができるようになっている。
【００３５】
ジョイント用圧接刃挿入穴３７は、５２個の圧接刃挿入穴２１、２８のうちの４個に対応するように配置形成されている。ジョイント用圧接刃挿入穴３７は、圧接刃固定溝３６と比べて若干長さが長くなるように形成されている。ジョイント用圧接刃挿入穴３７には、必要に応じて後述するジョイント用圧接刃４１（図７参照）が取り付けられるようになっている。
【００３６】
ケーブル押さえ部３４には、変形可能な押さえ付け部材３８が取り付けられている。この押さえ付け部材３０は、第二ジョイントボックス構成部材１４の押さえ付け部材３０と同じものであって、ケーブル１２のシース１９の部分を押さえ付けるために取り付けられている。
【００３７】
上記構成及び構造に基づきながら、本発明の屋内配線用ユニットケーブル１１の組み付け及び解体について説明する。尚、図面は図１ないし図６を参照するものとする。
【００３８】
先ず、第一ジョイントボックス構成部材１３の電線位置決め溝２０にケーブル１２の絶縁線心１８を収納する作業を行う。また、第二ジョイントボックス構成部材１４の電線収納溝２７に回路構成用電線１５を収納する作業を行う。次に、これら第一ジョイントボックス構成部材１３及び第二ジョイントボックス構成部材１４を重ね合わせる作業を行う。この時、後面２２及び前面２６同士が対向することから、絶縁線心１８及び回路構成用電線１５が交差する。第一ジョイントボックス構成部材１３及び第二ジョイントボックス構成部材１４の重ね合わせを行うことにより、ジョイントボックスが構成される。
【００３９】
続いてこの後、結線する必要のある交差部分に対応するように圧接刃１６をカバー１７に固定する作業を行う。そして最後に、圧接刃１６を固定した状態のカバー１７をジョイントボックスに取り付ける作業を行うと、一連の組み付けが完了して図２に示すような屋内配線用ユニットケーブル１１が得られる。
【００４０】
カバー１７の取り付け作業においては、このカバー１７の取り付けと同時に圧接刃１６がジョイントボックス内に差し込まれ、これにより圧接が一括して行われる。圧接が完了すると、ジョイントボックス内では所望の回路が形成される（図６参照）。
【００４１】
一方、屋内配線用ユニットケーブル１１を解体する作業に関しては、先ず、カバー１７を取り外す作業を行う。この時、圧接刃１６がジョイントボックス内から抜き取られる。次に、圧接刃１６をカバー１７から取り外す作業を行う。続いて、重なり合った第一ジョイントボックス構成部材１３及び第二ジョイントボックス構成部材１４を分離する作業を行う。
【００４２】
最後に、電線位置決め溝２０から絶縁線心１８を抜き取る作業を行うとともに、電線収納溝２７から回路構成用電線１５を抜き取る作業を行う。これにより、屋内配線用ユニットケーブル１１は、部品単体レベルにまで分解される。
【００４３】
以上、図１ないし図６を参照しながら説明してきたように、本発明によれば、従来よりも容易に結線作業を行うことができるという効果を奏する。また、本発明によれば、従来のように結線部を熱硬化製樹脂で充填・モールドする必要がないことから、生産性、取り扱い性、結線の修復性、及びリサイクル性を従来よりも格段に向上させることができるという効果を奏する。
【００４４】
ところで、本発明の屋内配線用ユニットケーブル１１は、回路増設を図ることが可能な構造を有している。このことについて、図７を参照しながら説明する。図７は回路増設をした状態を示す斜視図である。
【００４５】
図７において、引用符号４１はジョイント用圧接刃を示している。このジョイント用圧接刃４１は、導電性を有する金属板を加工してなる部材であって、取り付け固定部分４２と、一対の圧接部分４３とを有している。ジョイント用圧接刃４１は、屋内配線用ユニットケーブル１１を積層して回路増設を図る際に用いられる部材となっている。
【００４６】
ジョイント用圧接刃４１は、屋内配線用ユニットケーブル１１のカバー１７に形成されたジョイント用圧接刃挿入穴３７に差し込まれて一方の圧接部分４３が回路構成用電線１５（図１参照）に接続されるようになっている。また、他方の圧接部分４３は、積層する屋内配線用ユニットケーブル１１における第二ジョイントボックス構成部材１４の後面２９（図４参照）を介して内部に差し込まれ、積層する屋内配線用ユニットケーブル１１の回路構成用電線１５に接続されるようになっている。
【００４７】
この他、本発明は本発明の主旨を変えない範囲で種々変更実施可能なことは勿論である。
【図面の簡単な説明】
【００４８】
【図１】本発明の屋内配線用ユニットケーブルの一実施の形態を示す分解斜視図である。
【図２】屋内配線用ユニットケーブルの斜視図である。
【図３】ケーブルと第一ジョイントボックス構成部材の斜視図である。
【図４】回路構成用電線と第二ジョイントボックス構成部材の斜視図である。
【図５】圧接刃とカバーの斜視図である。
【図６】（ａ）は回路例を示す図、（ｂ）は（ａ）の回路に合わせて圧接刃を配置した圧接刃配置例を示す図である。
【図７】回路増設をした状態を示す斜視図である。
【図８】従来例の屋内配線用ユニットケーブルの断面図である。
【符号の説明】
【００４９】
１１  屋内配線用ユニットケーブル
１２  ケーブル
１３  第一ジョイントボックス構成部材
１４  第二ジョイントボックス構成部材
１５  回路構成用電線
１６  圧接刃
１７  カバー
１８  絶縁線心
１９  シース
２０  電線位置決め溝
２１  圧接刃挿入穴
２２  後面
２３  前面
２４  ボックス重ね合わせ部
２５  ケーブル押さえ部
２６  前面
２７  電線収納溝
２８  圧接刃挿入穴
２９  後面
３０  押さえ付け部材
３１  取り付け固定部分
３２  圧接部分
３３  ボックス対向部
３４  ケーブル押さえ部
３５  後面
３６  圧接刃固定溝
３７  ジョイント用圧接刃挿入穴
３８  押さえ付け部材
４１  ジョイント用圧接刃
４２  取り付け固定部分
４３  圧接部分
【図１】
0004884321.tif 000002
【図２】
0004884321.tif 000003
【図３】
0004884321.tif 000004
【図４】
0004884321.tif 000005
【図５】
0004884321.tif 000006
【図６】
0004884321.tif 000007
【図７】
0004884321.tif 000008
【図８】
0004884321.tif 000009